(57)【特許請求の範囲】
【請求項１】
光源と、
該光源に電力を供給する電源回路部等の電子部品と、
前記光源と前記電子部品を区切り前記光源からの光を反射する反射部材とを、底面部の一面に配設した筐体を備える照明装置において、
前記筐体は、前記一面の背面に、前記電子部品の荷重により惹起される変形を防止する補強部材を備え、
前記反射部材は、前記補強部材と十字を形成するように前記一面に設けられ、前記補強部材とともに前記筐体の底面部を両面から補強することを特徴とする照明装置。
【請求項２】
前記電子部品としての電源回路を収容する電源回路ボックスを備え、
前記電源回路ボックスは、前記反射部材に沿って、前記筐体の一面に設けられていることを特徴とする請求項１に記載の照明装置。
【請求項３】
前記反射部材は、
断面がコの字形状を有しており、
前記コの字の底面を前記電源回路ボックスの側面に接するようにして配置され、前記電源回路ボックスが有する前記筐体への設置面と共に前記筐体の一面に共締されていることを特徴とする請求項２に記載の照明装置。
【請求項４】
前記光源はＬＥＤであり、
前記電子部品は、外部電源から供給される交流を直流に変換して前記光源に供給する電源回路部であることを特徴とする請求項１から３までの何れか１項に記載の照明装置。
【発明の詳細な説明】
【技術分野】
【０００１】
本発明は、光源、該光源に電力を供給する電源回路等の電子部品を配設した筐体を備えた照明装置において、筐体を補強する補強部材を配設することを特徴とする。
【背景技術】
【０００２】
近年、発光ダイオード（以下、ＬＥＤと記す）を光源とする照明装置の開発が行われている。ＬＥＤは蛍光灯等の従来の光源と比較して小さく、ＬＥＤを光源とする照明装置について薄型化を図る構造が提案されている（例えば特許文献１）。
図９に示したのは、特許文献１に記載されている従来の照明装置８１の概略断面図である。照明装置８１は、複数個のＬＥＤ８２と該ＬＥＤ８２を駆動する点灯回路８３を備え、ＬＥＤ８２及び点灯回路８３を同一面内に配置することによって照明装置の薄型化が図られている。
しかし、照明装置の薄型化に起因して、照明装置の筐体が撓んでしまうという問題があった。そこで、筐体の撓みを防止させることを目的として、筐体に補強板を備えた照明装置が提案されている（例えば特許文献２）。
図１０に示したのは、特許文献２に記載されている従来のＬＥＤ９５を備える照明装置９１の分解斜視図である。照明装置９１は、筐体９２の長手方向に溝９３が形成され、溝９３の中間位置に剛性の補強板９４が挿入されている。
【特許文献１】特開２００３−８６００６号公報
【特許文献２】特開２００７−２６７２１号公報
【発明の開示】
【発明が解決しようとする課題】
【０００３】
しかし、特許文献２に記載の従来の照明装置９１は補強板９４を備えてはいるが、筐体９２の長手方向の中間位置に面状の補強板９４を設けているので、補強板の面積が本来補強に必要な面積より大きくなり、無駄に大きな補強板で補強することになっていた。また、補強部材の材料によっては、照明装置が重くなってしまうという問題があった。
そこで、本発明の照明装置は、筐体の変形である撓みを防止する補強部材を分割して配設することにより、より少ない面積の補強部材で必要箇所を効率的に補強することが可能となる。また、複数の補強板をバランスよく配設することにより、補強がより強固となる。
【課題を解決するための手段】
【０００４】
本発明の照明装置は、光源と、該光源に電力を供給する電源回路部等の電子部品と、前記光源と前記電子部品を区切り前記光源からの光を反射する反射部材とを、底面部の一面に配設した筐体を備える照明装置において、前記筐体は、前記一面の背面に、前記電子部品の荷重により惹起される変形を防止する補強部材を備え、前記反射部材は、前記補強部材と十字を形成するように前記一面に設けられ、前記補強部材とともに前記筐体の底面部を両面から補強することを特徴とする。
本構成によって、照明装置の内部に収容する光源、電源回路部等の電子部品の荷重により惹起される変形である撓みを防止することが可能となる。特に、照明装置を薄型化した場合であっても、筐体の変形が防止することが可能となる。
【０００６】
本構成によって、筐体を十字状にバランスよく補強することができるので、より強固に筐体を補強でき、撓みを防止することが可能となる。
【０００８】
本構成によって、光源と電子部品の間に設けられた反射部材により、筐体を補強し撓みを防止するとともに、筐体内で光源から照射された光の損失を防ぐことが可能となる。
【００１０】
本構成によって、筐体内に電源回路部を収容することで照明装置をコンパクトにすることができ、照明装置の設置の簡素化が可能となる。
【００１１】
本発明の照明装置は、前記電子部品としての電源回路を収容する電源回路ボックスを備え、前記電源回路ボックスは、前記反射部材に沿って、前記筐体の一面に設けられていることを特徴とする。
本発明の照明装置は、前記反射部材は、断面がコの字形状を有しており、前記コの字の底面を前記電源回路ボックスの側面に接するようにして配置され、前記電源回路ボックスが有する前記筐体への設置面と共に前記筐体の一面に共締されていることを特徴とする。
【００１５】
本発明の照明装置は、前記光源はＬＥＤであり、前記電子部品は、外部電源から供給される交流を直流に変換して前記光源に供給する電源回路部であることを特徴とする。
本構成によって、光源が小さなＬＥＤであるので、照明装置を薄型にすることができる。
【発明の効果】
【００１６】
本発明によれば、照明装置内部に設けた光源、電源回路等の電子部品の荷重による筐体の変形を防止することが可能である。
【発明を実施するための最良の形態】
【００１７】
以下、本発明の照明装置の実施の形態について図面を用いて説明する。以下の実施の形態の説明においては、４辺の長さがほぼ等しいスクウェア型の照明装置であって、オフィスや家庭の天井等の設置面に設けられる照明装置を例示して説明する。
【００１８】
（実施の形態１）
図１は、本発明の実施の形態１の照明装置１の表面側から見た要部組立斜視図である。図２は、図１の照明装置１の枠体３を外した場合の表面側から見た要部斜視図である。図３は、図１の照明装置１の背面側からみた要部斜視図である。
なお、本明細書において、表面とは照明装置１が光を照射する側の面を示し、背面とは表面の反対側の面であり照明装置１が天井等の設置面に設置された場合に設置面に対向する面を示す。
【００１９】
照明装置１は、光源であるＬＥＤ１３とＬＥＤ１３を駆動する電源回路等の電子部品等を収容する筐体２と、筐体２の前面に設けられＬＥＤ１３から照射される光のグレアを防止させる拡散板５と、拡散板５を保持し筐体２の前面を保護する枠体３からなる。
筐体２はアルミニウムからなり、底面６と、底面６の４辺に設けられた側面７と、側面７と垂直をなして筐体２の外側に延びて設けられた枠体取付面８を有している。筐体２の材質については他の金属でもよく、軽量であり放熱性が良い金属が好適に用いられる。
筐体２の底面６は３つの部分に分けられており、光源であるＬＥＤ１３を配した２つの発光部１２と、ＬＥＤ１３に電力を供給する電源回路を配した電子部品収容部１５からなる。電子部品収容部１５は、２つの発光部１２の間に挟まれて配置され、２つの発光部１２と電子部品収容部１５の間はそれぞれ反射板１０によって区切られている。
【００２０】
筐体２に収容される個々の構成について詳細に説明する。
２つの発光部１２のそれぞれには、複数のＬＥＤ１３を実装した２枚のＬＥＤ基板１４が、底面６にビス等の係止部材２０により取付けられている。発光部１２から照射される光を均一にするために、複数のＬＥＤ１３は均一の間隔でマトリクス状にＬＥＤ基板１４に実装されている。ＬＥＤ基板１４には、さらに、ＬＥＤ１３に流れる電流を所定の値以下に制限する制限抵抗（図示せず）及びＬＥＤ基板１４間を接続する為のコネクタ（図示せず）が設けられている。
【００２１】
また、ＬＥＤ基板１４の表面には、反射シート（図示せず）が設けられていることが好ましい。あるいは、ＬＥＤ基板１４の表面が金属メッキ処理され、金属鏡面の反射面として加工されていてもよい。そうすることにより、ＬＥＤ１３から照射され、筐体２の前面に設けられた拡散板５により反射されて筐体内部に戻ってきた光を、再度ＬＥＤ基板１４の表面にて反射できることになる。よって、ＬＥＤ１３からの光が筐体内部で吸収されることを防止できるので、ＬＥＤ１３からの光を効率的に照明に利用することができ、照射面における照度を上げることができる。
【００２２】
電子部品収容部１５には、ＬＥＤ１３に電力を供給する電子部品としての電源回路部（図示せず）を内部に収容した２つの電源回路ボックス１６が反射板１０に沿って、底面６に平行に取付けられている。電源回路ボックス１６は、例えば鉄等の金属からなり、電子部品を保護するとともに、防火対策もなされている。また、図示しないが、電源回路部は、トランス等の変圧回路、整流回路及び定電流回路等からなり、外部電源から提供される交流を直流に変換してＬＥＤ１３に定電流を供給する。
【００２３】
なお、金属製の複数の電源回路ボックス１６を筐体２の底面６に設けることにより、筐体２の変形である撓みを防止することができる。電源回路ボックス１６が、補強部材としても作用することにより、より少ない部材で効率的に機能し、照明装置１の軽量化に寄与することが可能である。
【００２４】
さらに、電子部品収容部１５には、速結端子１７と天井等に配設されている電力線を引き込む電力線引込孔１９が設けられており、外部電源と電源回路部は速結端子１７を介して電気的に接続されている。なお、電力線引込孔１９は、電力線を損傷しないように樹脂等のリングが嵌装されているか、つば加工等の端面処理がされていることが好ましい。また、速結端子１７及び電力線引込孔１９が設けられる位置は図に示す位置に限定されず、電源回路ボックス１６が設置される場所に対応して設けられていればよい。
【００２５】
２つの発光部１２と電子部品収容部１５の間には、それぞれを区切るように、筐体の一辺から対向する一辺に渡って、２つの反射板１０が平行に設けられている。反射板１０によって、ＬＥＤ１３から照射される光が電子部品収容部１５にて吸収されることを防ぐことが可能となる。
【００２６】
反射板１０は、断面がコの字状に屈曲した金属板である。反射板１０は、コの字の底部２１を電源回路ボックス１６の側面に接するような向きで配置され、ビス等の係止部材２０により電源回路ボックス１６の底面への設置面と共に筐体２の底面６に共締めされている。
【００２７】
反射板１０は、少なくとも発光部１２に対向する面において、光を反射する反射面として表面処理されている。ＬＥＤ１３は指向性が強いので、ＬＥＤ１３からの光が直接に反射板１０にて反射される事は少ないが、筐体２の前面の拡散板５にて反射される光を再度反射できるので、電子部品収容部１５に吸収されて損失する光の量を防止することができる。
【００２８】
また、筐体２の少なくとも発光部１２を囲む側面７も反射面として表面処理しておくことにより、発光部１２を囲む４辺から反射できることになるので、照明装置１の前面において、反射面の有無による輝度の濃淡をなくすことができる。
また、複数の反射板１０が筐体２の一辺から対向する一辺に渡って底面６に設けられているので、筐体２の変形である撓みをすることができる。反射板１０が、補強部材としても作用することにより、より少ない部材で効率的に機能し、照明装置１の薄型化と軽量化に寄与することが可能である。
【００２９】
次に、電源回路ボックス１６に収容される電源回路部と、発光部１２の電気的な接続について説明する。
２つの電源回路ボックス１６は、それぞれが筐体２の対向する側面７に隣接して平行に配置されている。電源回路ボックス１６に収容される電源回路部は、電源回路ボックス１６が隣接する側面７と同一側の側面７に隣接する２枚のＬＥＤ基板１４に電流を供給する。電源回路部とＬＥＤ基板１４を接続する配線１８は側面７に沿って配設され、反射板１０の端部において側面７と形成される微小な隙間２２を挿通している。発光部１２からの光が電子部品収容部１５内に漏れることを防ぐために、隙間はできるだけ微小であることが好ましく、配線１８が挿通できる程度の孔が反射板１０の端部に形成されていてもよい。
【００３０】
上記構成により、１つの電源回路部から２つの発光部１２内に設けられた２枚のＬＥＤ基板１４に電流を供給することができる。従って、一方の電源回路部に故障が発生しても、または電源回路部とＬＥＤ基板１４を結ぶ一方の配線１８が断線してしまったとしても、もう一方の電源回路部により２つの発光部１２内のＬＥＤ基板１４に電流を供給できるので、照明装置１の輝度は減少するものの２つの発光部１２にて照射することができる。また、一方の電源回路部からの電流の供給を止めて減光の調光をする調光方法を採用した場合においても、２つの発光部１２から照明されるので、照明装置１の面全体が暗くなるのを避けることが可能である。
【００３１】
次に、図３を参照して、筐体２の背面９について説明する。
筐体２の背面９には２本の補強板１１が、筐体２の一辺から対向する一辺に渡って、筐体２の背面９に平行に設けられている。補強板１１は断面がコの字状の金属板であり、背面９側から筐体２内部に収容された電子部品等の荷重により惹起される撓みを防止できる。
【００３２】
また、複数の補強板１１の設けられる方向は、底面６に取付けられた反射板１０及び電源回路ボックス１６と垂直を為す方向である。よって、補強板１１と反射板１０、または補強板１１と電源回路ボックス１６により、十字状に筐体２の補強がバランスよく為されているので、筐体２の撓みを効果的に防止することができる。
また、補強板１１は、ＬＥＤ１３から発せられて筐体２に伝熱された熱を放熱する放熱部材としても機能している。よって、より少ない部材で効率的に複数の機能を為すので、照明装置１の軽量化に寄与することが可能である。
【００３３】
次に、枠体３を筐体２に取付けた状態について説明する。
筐体２の前面には、拡散板５と枠体３が設けられている。枠体３は発光部１２に対応する位置に開口部２３を有する金属枠で、枠体取付面８の４角に例えばネジ等の枠体留め部４により係止されている。拡散板５は枠体３の開口部２３に嵌装されており、拡散板５と枠体３が同一面になるように構成されている。詳細には、拡散板５は開口部２３の形状に対応した凸部を有する形状に真空形成されており、凸部の突出した面が枠体３の表面と同一面になるようにして開口部２３に嵌装されている。なお、枠体３の枠体取付面８への係止はネジでなくワイヤー等で筐体２に係止できるような構成であってもよい。ネジが枠体３の表面にないので、照明装置１の外観がよくなる。
【００３４】
また、本実施の形態で用いられる拡散板５は、ポリカーボネート樹脂からなる乳白色の板であるが、照明装置１が設置される場所や用途に応じて、アクリル樹脂の透明板であってもよい。透明板であれば、照明装置１が設置される室内の照度を上げることができる。
【００３５】
以上説明したように、反射板１０、電源回路ボックス１６及び補強板１１は、それぞれが個々に筐体２を補強し、筐体２の内部に収容する電源回路等の電子部品の荷重により惹起される筐体２の撓みを防止している。つまり、それぞれが独立した補強部材として機能している。また、それぞれは複数に分割されて構成されているので、より効率的に筐体２の補強が可能である。
また、面状の補強部材ではなく、分割した複数の補強部材を間隔をおいて配設することにより、筐体２からの放熱を妨げることもない。
【００３６】
さらに、補強板１１と反射板１０、または補強板１１と電源回路ボックス１６をそれぞれ垂直をなす方向に設けることによって、十字状に筐体２を補強するので、バランスよく筐体２を補強することができる。従って、補強部材として作用する複数種類の部材を組み合わせて用いることによって、より強固に筐体２を補強することが可能となる。
また、反射板１０、電源回路ボックス１６及び補強板１１は、面状の補強部材ではなく、３次元の形態を有する補強部材であるので、面状の補強部材に比べてより強固な補強が可能となる。
【００３７】
本実施の形態においては、発光部は２つであるがこれに限定されず、さらに分割されて４つであってもよい。また、発光部と電子部品収容部の位置は逆でも良く、筐体の中央に発光部を有していてもよい。
【００３８】
（実施の形態２）
図４は、本発明の実施の形態２の照明装置３１の枠体を外した場合の表面側から見た要部斜視図である。図５は、図４の照明装置３１の表面側から見た要部平面図である。図６は、図４の照明装置３１に用いられるイオン発生装置３３の要部拡大斜視図である。
本実施の形態の照明装置３１は、電子部品収容部１５に、例えばプラズマクラスターイオン発生装置（プラズマクラスターは登録商標）等のイオン発生装置３３を備える照明装置である。また、電子部品収容部１５には、イオン発生装置３３から発生したイオンを拡散させるためのファン３４も設置されている。実施の形態１と同一の構成については、同一の符号を付して詳細な説明は省略する。
【００３９】
実施の形態１と同様に、照明装置３１の筐体２は底面６に２つの発光部１２と電子部品収容部１５を備えており、それぞれは底面６に配設された２つの反射板１０にて区切られている。
反射板１０の電子部品収容部１５側の面にはイオン発生装置３３が取り付けられ、筐体２の底面６にイオン発生装置３３から発生したイオンを拡散させるファン３４が設けられている。電源回路部を収容する電源回路ボックス１６は、電子部品収容部１５に設けられておらず、照明装置３１の筐体２の背面側に取り付けられている。または、照明装置３１が設置される天井の裏に別置きされていてもよい。なお、イオン発生装置は筐体２の底面６に設けられていてもよい。
【００４０】
さらに、図４に示すように、筐体２の背面側に設けられた電源回路部からの配線１８が、電力線引込孔１９を挿通して筐体２内に配設されてＬＥＤ基板１４に接続して電源が供給されている。また、イオン発生装置３３及びファン３４に対しても同様に、電源回路部から配線１８で接続されて電源回路部から電源が供給されている。
【００４１】
次に、電子部品収容部１５に設置されるイオン発生装置３３とファン３４について詳細に説明する。
イオン発生装置３３としての例えばプラズマクラスターイオン発生装置（登録商標）は、詳細には特開２００３−４５６１１号公報に開示されているようなイオン発生装置３３であって、空気中の水蒸気をプラズマ放電によりイオン化し、略同量のプラスイオンとマイナスイオンとを生成する動作を行う。プラスイオンは、水素イオン（Ｈ+ ）の周囲に複数の水分子が付随したクラスターイオンであり、Ｈ+ （Ｈ2 Ｏ）m （ｍは自然数）として表される。またマイナスイオンは、酸素イオン（Ｏ2− ）の周囲に複数の水分子が付随したクラスターイオンであり、Ｏ2− （Ｈ2 Ｏ）n （ｎは自然数）として表される。これらのプラスイオン及びマイナスイオンは、空間内の浮遊物（粒子、細菌）に凝集して相互に化学反応し、活性物質としての過酸化水素Ｈ2 Ｏ2 又は水酸化ラジカル・ＯＨとなり、酸化反応により浮遊粒子を不活性化し、また浮遊細菌を殺菌する作用をなす。
【００４２】
図６に示すように、イオン発生装置３３は略直方体形状のケース３５を備え、ケースの一面にイオン発生素子３６を有し、ケース内部にイオン発生素子３６の駆動波形発生のための回路基板（図示せず）、電極に高圧の電圧を印加するための昇圧コイル（図示せず）等が設けられている。イオン発生素子３６は、グリッド状をなす放電電極３７と、放電電極３７と対向するように埋設された面状の誘導電極３８と、放電電極３７の上部を被覆して保護する保護層（図示せず）により構成され、両電極に高圧の交流駆動電圧を印加することによるプラズマ放電の作用によって、プラスイオン及びマイナスイオンが発生する。
【００４３】
イオン発生装置３３は、反射板１０の電子部品収容部１５側の面に、イオンが発生するイオン発生素子３６が表面となるように設けられている。また、イオン発生装置３３は、２枚の反射板１０の何れに設けられていてもよく、設けられる位置も図に示されているような中央付近には限定されない。また、反射板１０でなく筐体２の底面６に設けられていてもよい。イオン発生素子３６がファン３４から送風される空気路の途中になるように設けられていることが好ましい。
【００４４】
次に、イオン発生装置３３とともに取り付けられるファン３４について説明する。
ファン３４としては、例えばシロッコファン（多翼ファン）が好適に用いられる。シロッコファンは多翼の前向き羽根を有する遠心ファンであり、本実施の形態のような薄型の照明装置においては、小型かつ静音であるＡＶ機器用に用いられるシロッコファンが特に好ましい。
【００４５】
ファン３４は、ケースの内部に複数の羽根を備え、羽根を回転させてケースの中央から吸い込んだ空気を遠心力で加速し、送風口３９から送風する構成である。ファン３４は、筐体２の底面６に設けられ、送風口３９から送風される空気がイオン発生素子３６に向けられるような向きになるように取り付けられている。
【００４６】
枠体３は、実施の形態１と同様に開口部２３を有する金属製の枠体であって、拡散板５を開口部２３に嵌めて保持し、照明装置３１の前面に取り付けられる。また、枠体３の電子部品収容部１５に対応する位置に、照明装置３１の内部に空気を吸気する吸気口４１と、イオン発生装置３３で発生したイオンを含む空気を排気する排気口４２が設けられている。
よって、照明装置３１が設置される室内を照明するとともに、イオンを含む空気が室内に送風され室内の空気が清浄されることとなる。
【００４７】
また、ファン３４は、上述したようなイオン発生装置３３により発生したイオンを拡散するだけでなく、筐体２を冷却する機能も有する。ＬＥＤ１３を光源として用いた照明装置３１はＬＥＤ１３から発熱が大きいので、その熱を放熱する構造が求められるが、ファン３４はＬＥＤ１３からの熱が伝熱した筐体２に空気を送風することにより筐体２を冷却し、照明装置３１の放熱効果を高めることができる。
【００４８】
なお、本実施の形態においても、反射板１０及び補強板１１は、それぞれが個々に筐体２の補強し、筐体２の内部に収容するイオン発生装置３３及びファン３４等の電子部品の荷重により惹起される筐体２の撓みを防止している。また、反射板１０及び補強板１１はそれぞれ分割されて複数により構成されているので、より効果的に筐体２の補強が可能である。また、反射板１０と補強板１１は垂直の方向を為すような方向に設置されているので、十字状にバランスよく筐体２を補強することができ、筐体２の撓みを効果的に防止することができる。
【００４９】
（実施の形態３）
図７は、本発明の実施の形態３の照明装置５１の背面から見た要部組立斜視図である。図８は、図７の照明装置５１が天井等の設置面に設けられた場合の照明状態を示す図である。実施の形態１または実施の形態２と同一の構成については、同一の符号を付して詳細な説明は省略する。
【００５０】
図７に示すように、本実施の形態の照明装置５１は、照明装置５１の筐体５２の側面５３にスリット５４を設けたものである。筐体５１の４つの全ての側面５３にスリット５４を連続して形成しているので、照明装置５１の側面５４からも均一に光が漏れることになる。よって、この漏れた光によって、照明装置５１の水平方向の周囲も照明することができ、照明装置５１が天井等の設置面に設置された場合に漏れた光で設置面を照明することができるので間接照明としても機能する。
【００５１】
図８を参照して、照明装置５１が天井等の設置面に設けられた場合、設置面の照明装置５１の周囲において、照明装置５１からの距離が大きくなるにつれて次第に照度が小さくなるように照明されることとなる。よって、設置面における間接照明がより自然に感じられる。
【００５２】
さらに、スリット５４を通過して筐体５２の内部に埃や虫等が侵入しないように、スリット５４の筐体内部側に透明のフィルムや網等の侵入保護部材が設けられていてもよい。照明装置５１の信頼性を高めることができる。
【００５３】
ＬＥＤは蛍光灯等の従来の光源と比較して指向性が強いので、ＬＥＤを光源とする照明装置は前面から照射されるのみで、照明装置が取り付けられる設置面を全く照明しないので室内の天井面だけが照明されず、ユーザーに違和感を与えるという問題があった。しかし、本実施形態の照明装置の構成により、照明装置の周囲の設置面も間接照明することができるので、天井面が明るい自然な照明となって、上記問題は緩和されることとなる。
【００５４】
なお、スリット５４の形状は、図７に示すような矩形に限定されず、円形や三角形であってもよい。また、そのスリット５４間の間隔も、間接照明に利用したい光の強さに応じて適宜調整されることが好ましい。
【００５５】
以上、実施の形態において、４辺の長さがほぼ等しいスクウェア型の照明装置を例示して説明したが、スクウェア型に限定されず、細長型や円形型等の他の形状の照明装置であってもよい。円形型の照明装置であれば、例えば分割した複数の補強部材を十字状に配設することにより、筐体の変形が防止できる。
【００５６】
また、照明装置の形態として、オフィスや家庭で用いられているシーリングライトのような大型の一般照明装置に限定されないが、特に大型の照明装置であれば、薄型化に伴う筐体の撓みの問題が顕著であるので、本発明は好適である。
また、光源はＬＥＤに限定されず、冷陰極形蛍光灯（ＣＣＦＬ）、高周波点灯専用形蛍光灯（Ｈｆ蛍光灯）等の蛍光灯であってもよく、エレクトロルミネセンス（Ｅｌｅｃｔｒｏｌｕｍｉｎｅｓｃｅｎｃｅ）等の他の光源でもよい。
さらに、電子部品収容部に設置される電子部品も上記実施の形態に限定されず、他の電子部品であってもよい。
【図面の簡単な説明】
【００５７】
【図１】本発明の実施の形態１の照明装置の表面側から見た要部組立斜視図である。
【図２】図１の照明装置の枠体を外した場合の表面側から見た要部斜視図である。
【図３】図１の照明装置の背面側から見た要部斜視図である。
【図４】本発明の実施の形態２の照明装置の枠体を外した場合の表面側から見た要部斜視図である。
【図５】図４の照明装置を表面側から見た要部平面図である。
【図６】図４の照明装置に用いられるイオン発生装置の要部拡大斜視図である。
【図７】本発明の実施の形態３の照明装置の背面から見た要部組立斜視図である。
【図８】図７の照明装置が天井等の設置面に設けられた場合の照明状態を示す図である。
【図９】従来の照明装置の概略断面図である。
【図１０】従来の照明装置の分解斜視図である。
【符号の説明】
【００５８】
１、３１、５１  照明装置
２、５２  筐体
３、３１  枠体
４  枠体留め部
５  拡散板
６  底面
７、５３  側面
８  枠体取付面
９  背面
１０  反射板
１１  補強板
１２  発光部
１３  ＬＥＤ
１４  ＬＥＤ基板
１５  電子部品収容部
１６  電源回路ボックス
１７  速結端子
１８  配線
１９  電力線引込孔
２０  係止部材
３３  イオン発生装置
３４  ファン
３５  ケース
３６  イオン発生素子
３７  放電電極
３８  誘導電極
３９  送風口
４１  吸気口
４２  排気口
５４  スリット
【図１】
0005106179.tif 000002
【図２】
0005106179.tif 000003
【図３】
0005106179.tif 000004
【図４】
0005106179.tif 000005
【図５】
0005106179.tif 000006
【図６】
0005106179.tif 000007
【図７】
0005106179.tif 000008
【図９】
0005106179.tif 000009
【図１０】
0005106179.tif 000010
【図８】
0005106179.tif 000011